(57)【要約】      （修正有）【課題】ＤＩＹ式書類粘着装丁機構造を提供する。【解決手段】主に加熱ホスト機を作業台上に組立て構成する。加熱ホスト機の機体片面端に加熱パネルを、作業台に作業フレームを、作業フレーム片面端両側にそれぞれ組立て部を具え、組立て部は加熱ホスト機を組立て、加熱パネルは作業フレーム内縁に進入し加熱作業面を構成する。作業パネルは垂直に作業フレーム底部の一方の面端に結合し、機台は作業パネルの揺動により傾斜角度を調節し作業パネルを支え、作業フレームと加熱ホスト機は書類ホルダー内に書類を入れ作業パネルに置き、傾斜を調節する作業パネルは書類ホルダーの装丁部を作業フレーム内縁の加熱パネル上に導引し加熱を行い、書類ホルダー装丁部内面の熱溶融粘着剤が熱を受け滲出し紙を粘着し、迅速に書類を装丁する。【選択図】図５
0003121754.tif 000002
【実用新案登録請求の範囲】
【請求項１】
主に加熱ホスト機を作業台上に組立て構成し、該加熱ホスト機の機体片面端には加熱パネルを具え、該作業台は作業フレームを具え、該作業フレーム片面端両側にはそれぞれ組立て部を具え、該組立て部により加熱ホスト機を組立て、これにより該加熱パネルは該作業フレーム内縁に進入し加熱作業面を構成し、しかも該作業パネルは垂直に該作業フレーム底部のもう一方の面端に結合し、該機台は該作業パネルの揺動により傾斜角度を調節する形態により該作業パネルを支え、該作業フレーム及び該加熱ホスト機は該書類ホルダー内に書類を入れ該作業パネル上に置き、傾斜を調節する作業パネルは該書類ホルダーの装丁部を該作業フレーム内縁の加熱パネル上に導引し密着させ加熱を行い、書類ホルダー装丁部内面の熱溶融粘着剤が熱を受け滲出し紙を粘着する作用により、迅速に書類の装丁を完成し、作業フレーム内の加熱パネルは一度に多数の書類ホルダーを作業パネル上にセットし加熱することができるため、書類整理の粘着装丁作業の効率を倍増させることができることを特徴とするDIY式書類粘着装丁機構造。
【請求項２】
前記加熱ホスト機を作業台上に組立て、該加熱ホスト機の機体にはハンドル部を設置し、作業者は該ハンドル部を握ることにより、該加熱ホスト機を便利に該作業台の作業フレーム上に組立て、及び該加熱ホスト機を該作業フレーム上より便利に取り出すことができ、該加熱ホスト機は該作業台を離脱し、機動的に他の加熱用途に用いることができることを特徴とする請求項１記載のDIY式書類粘着装丁機構造。
【請求項３】
前記作業台上に組み立てる加熱ホスト機の機体片面端には加熱パネルを具え、該加熱パネル内部には制御部により温度と電源制御を行う電熱部品を埋設し、しかも少なくとも一個の固定台により該加熱パネルを機体上に固定し、該機体と該加熱パネル間に組立て係合槽を形成し、該組立て係合槽により該作業フレーム両側辺の細長い板状組立て部と対応させ、該加熱ホスト機は該作業台上に簡易に組立てられ、該制御部上のスイッチ操作によるだけで、該作業フレーム内の加熱パネルは予熱のための発熱作動を行い、該書類ホルダー装丁部に対して加熱を行うことができる加熱作業面を構成することを特徴とする請求項１記載のDIY式書類粘着装丁機構造。
【請求項４】
前記加熱ホスト機を作業台上に組立て、該加熱パネルを作業フレーム内に進入させ加熱作業面を構成し、該作業台の作業フレーム上には該加熱パネルに対応し該作業フレーム両側辺上下に接触可能な可動のサポート板を設置し、しかも該サポート板上は少なくとも一本のプル棒を具え該作業フレーム上部に貫通し、該書類ホルダーの装丁部は該加熱パネルの加熱作業面上に向かい接触し、作業者は書類ホルダーの数及び厚さに応じて、該プル棒を上方へと引く操作により、該サポート板は該書類ホルダー上を押し、該書類ホルダーの装丁部を迅速に平坦にし、該加熱パネルの加熱作業面と接触させ、装丁部は最も平均に、最も効果的に書類を粘着装丁し加熱する効果を達成することを特徴とする請求項１記載のDIY式書類粘着装丁機構造。
【請求項５】
前記作業パネルを支える機台は作業パネル両側辺の一対の枠板に対応し、該作業パネル両側辺の一端と可動設置し、しかも該枠板上には相対的に弧形槽を形成し、それぞれ一個の固定ボタンが該弧形槽を貫通し、該作業パネル両側辺の反対端上において結合し、該作業パネルは機台により支えられ、該枠板上の可動設置点を中心とし傾斜揺動を行い、該固定ボタンは該弧形槽の異なる位置に固定し、該作業パネルの揺動を限定し、該作業パネルの書類ホルダーの導引を調節し適当に作業傾斜角度を設定することを特徴とする請求項１記載のDIY式書類粘着装丁機構造。
【請求項６】
前記書類をセットする作業パネルの板面上には可動調節フレームを追加設置可能で、該可動調節フレーム側板幅の調節により、異なる規格の書類ホルダーを該作業パネル上にセットし書類の装丁を行うことができることを特徴とする請求項１記載のDIY式書類粘着装丁機構造。
【請求項７】
前記作業パネルは書類を加熱パネル上へと導引し接触させ加熱を行い、該加熱パネル上には挿入部品台を追加設置可能で、該挿入部品台上には多数の異なる幅の書類挿入槽を形成し、小型書類はちょうど良い大きさの挿入槽を選択し挿入設置し加熱が可能で、こうして各種小型書類の粘着装丁を提供することができることを特徴とする請求項１記載のDIY式書類粘着装丁機構造。
【考案の詳細な説明】
【技術分野】
【０００１】
本考案は一種のDIY式書類粘着装丁機構造に関する。特に一種の書類粘着装丁の効率を倍増可能なDIY式書類粘着装丁機構造に係る。
【背景技術】
【０００２】
オフィスの書類はしばしば書類ホルダーを用い整理及び装丁し管理する必要があるが、DIYで書類を粘着装丁する書類ホルダーは図1に示すように、書類ホルダー10の装丁部11内面に熱溶融粘着面12を設置する。さらに図2に示すように、書類を該書類ホルダー10内に整然と整理し、図3に示すように、加熱装丁機20により該書類ホルダー10の装丁部11を加熱し、該熱溶融粘着面12の粘着液を加熱により滲出させ紙を接着する作用により、該粘着装丁機20上から該書類ホルダー10を取り出すだけで、空気により冷卻され書類の粘着装丁を完成する。
しかし、公知の粘着加熱装丁機20の書類ホルダー10装丁部11に対する加熱はコの字型槽21により書類ホルダー10を支えるものであるため、該装丁部11は上から下に向かい発熱板22上に密着し加熱を行うが、コの字型槽21の幅には限界があるため、書類の整理においては、一度に多数の書類ホルダー10の加熱粘着装丁作業を行うことはできず、多くの書類を書類ホルダー10に整理装丁する必要がある時には、該加熱装丁機20が間に合わないという問題がある。またもし少量の書類を装丁する場合には、図4に示すように、該書類ホルダー10を該コの字型槽21内に置くと幅が広すぎ隙間ができ、作業者が手で該書類ホルダー10を支えなければならないという不便もある。
【考案の開示】
【考案が解決しようとする課題】
【０００３】
公知構造には以下の欠点があった。
すなわち公知の粘着加熱装丁機の書類ホルダー装丁部に対する加熱はコの字型槽により書類ホルダーを支えるものであるが、コの字型槽の幅には限界があるため、一度に多数の書類ホルダーの加熱粘着装丁作業を行うことができない。また少量の書類を装丁する場合には、コの字型槽の幅が広すぎ隙間ができるため、作業者が手で書類ホルダーを支えなければならず不便である。
本考案は上記構造の問題点を解決したDIY式書類粘着装丁機構造を提供するものである。
【課題を解決するための手段】
【０００４】
上記課題を解決するため、本考案は下記のDIY式書類粘着装丁機構造を提供する。
それは主にDIY式書類粘着装丁機構造を提供し、該DIY式書類粘着装丁機構造は加熱ホスト機を作業台上に組立て構成し、該加熱ホスト機の機体片面端には加熱パネルを具え、該作業台は作業フレームを具え、該作業フレーム片面端両側にはそれぞれ組立て部を具え、該組立て部により加熱ホスト機を組立て、これにより該加熱パネルは該作業フレーム内縁に進入し加熱作業面を構成し、しかも該作業パネルは垂直に該作業フレーム底部のもう一方の面端に結合し、該機台は該作業パネルの揺動により傾斜角度を調節する形態により該作業パネルを支え、該作業フレーム及び該加熱ホスト機は該書類ホルダー内に書類を入れ該作業パネル上に置き、傾斜を調節する作業パネルは、該書類ホルダーの装丁部を該作業フレーム内縁の加熱パネル上に導引し密着させ加熱を行い、書類ホルダー装丁部内面の熱溶融粘着剤が熱を受け滲出し紙を粘着する作用により、迅速に書類の装丁を完成し、該作業フレーム内の加熱パネルは一度に多数の書類ホルダーを該作業パネル上に置き加熱することができるため、書類整理の粘着装丁作業の効率を倍増させることができ、
さらに本考案のDIY式書類粘着装丁機構造は加熱ホスト機を作業台上に組立て、該加熱ホスト機の機体にはハンドル部を設置し、作業者は該ハンドル部を握ることにより、該加熱ホスト機を便利に該作業台の作業フレーム上に組立て、及び該加熱ホスト機を該作業フレーム上より便利に取り出すことができ、該加熱ホスト機は該作業台を離脱し、機動的に他の加熱用途に用いることができ、
また本考案のDIY式書類粘着装丁機構造において、作業台上に組み立てる加熱ホスト機の機体片面端には加熱パネルを具え、該加熱パネル内部には制御部により温度と電源制御を行う電熱部品を埋設し、しかも少なくとも一個の固定台により該加熱パネルを機体上に固定し、該機体と該加熱パネル間に組立て係合槽を形成し、該組立て係合槽により該作業フレーム両側辺の細長い板状組立て部と対応させ、該加熱ホスト機は該作業台上に簡易に組立てられ、該制御部上のスイッチ操作によるだけで、該作業フレーム内の加熱パネルは予熱のための発熱作動を行い、該書類ホルダー装丁部に対して加熱を行うことができる加熱作業面を構成し、
加えて本考案のDIY式書類粘着装丁機構造は加熱ホスト機を作業台上に組立て、該加熱パネルを作業フレーム内に進入させ加熱作業面を構成し、該作業台の作業フレーム上には該加熱パネルに対応し、該作業フレーム両側辺上下に接触可能な可動のサポート板を設置し、しかも該サポート板上は少なくとも一本のプル棒を具え該作業フレーム上部に貫通し、該書類ホルダーの装丁部は該加熱パネルの加熱作業面上に向かい接触し、作業者は書類ホルダーの数及び厚さに応じて、該プル棒を上方へと引く操作により、該サポート板は該書類ホルダー上を押し、該書類ホルダーの装丁部を迅速に平坦にし、該加熱パネルの加熱作業面と接触させ、装丁部は最も平均に、最も効果的に書類を粘着装丁し加熱する効果を達成し、
さらに本考案のDIY式書類粘着装丁機構造の作業パネルを支える機台は、作業パネル両側辺の一対の枠板に対応し、作業パネル両側辺の一端と可動設置し、しかも該枠板上には相対的に弧形槽を形成し、それぞれ一個の固定ボタンが該弧形槽を貫通し、該作業パネル両側辺の反対端上において結合し、該作業パネルは機台により支えられ、該枠板上の可動設置点を中心とし傾斜揺動を行い、該固定ボタンは該弧形槽の異なる位置に固定し、該作業パネルの揺動を限定し、該作業パネルの書類ホルダーの導引を調節し適当に作業傾斜角度を設定し、
また本考案のDIY式書類粘着装丁機構造では、書類をセットする作業パネルの板面上には可動調節フレームを追加設置可能で、該可動調節フレーム側板幅の調節により、異なる規格の書類ホルダーを該作業パネル上にセットし書類の装丁を行うことができ、
さらに本考案のDIY式書類粘着装丁機構造の作業パネルは書類を加熱パネル上へと導引し接触させ加熱を行い、該加熱パネル上には挿入部品台を追加設置可能で、該挿入部品台上には多数の異なる幅の書類挿入槽を形成し、小型書類はちょうど良い大きさの挿入槽を選択し挿入設置し加熱が可能で、こうして各種小型書類の粘着装丁を提供することができることを特徴とするDIY式書類粘着装丁機構造である。
【考案の効果】
【０００５】
上記のように、本考案の作業フレーム内の加熱パネルは一度に多数の書類ホルダーを作業パネル上に置き加熱することができるため、粘着装丁作業の効率を倍増させることができる。さらに本考案の加熱ホスト機の機体にはハンドル部を設置するため、加熱ホスト機を便利に作業台の作業フレーム上に組立て、及び加熱ホスト機を作業フレーム上より便利に取り出すことができ、加熱ホスト機は作業台を離脱し機動的に他の加熱用途に用いることができる。また本考案の加熱ホスト機の機体片面端には加熱パネルを具え、加熱パネル内部には制御部により温度と電源制御を行う電熱部品を埋設するため、制御部上のスイッチ操作によるだけで作業フレーム内の加熱パネルは予熱のための発熱作動を行い、加熱を行うことができる加熱作業面を構成する。加えて本考案のサポート板上には少なくとも一本のプル棒を具え作業フレーム上部に貫通するため、作業者は書類ホルダーの数及び厚さに応じてプル棒を上方へと引く操作によりサポート板は書類ホルダー上を押し、書類ホルダーの装丁部を迅速に平坦にし、加熱パネルの加熱作業面と接触させ、装丁部は最も平均に、最も効果的に書類を粘着装丁し加熱する効果を達成する。さらに本考案の機台は作業パネル両側辺の一対の枠板に対応し、作業パネルは機台により支えられ枠板上の可動設置点を中心とし傾斜揺動を行い、固定ボタンは作業パネルの揺動を限定するため、作業パネルの書類ホルダーの導引を調節し適当に作業傾斜角度を設定することができる。また本考案の書類をセットする作業パネルの板面上には可動調節フレームを追加設置可能で、該可動調節フレーム側板幅の調節により、異なる規格の書類ホルダーを該作業パネル上にセットし書類の装丁を行うことができる。さらに本考案の作業パネル上には挿入部品台を追加設置可能で、該挿入部品台上には多数の異なる幅の書類挿入槽を形成し小型書類はちょうど良い大きさの挿入槽を選択し挿入設置し加熱が可能であるため、各種小型書類の粘着装丁を提供することができる。
【考案を実施するための最良の形態】
【０００６】
図5、6に示すように、加熱ホスト機30を作業台40上に組み立て構成する。該加熱ホスト機30の機体31片面端には加熱パネル32を具え、該作業台40は作業フレーム41を具え、該作業フレーム41片面端両側にはそれぞれ組立て部410を具え、該組立て部410により加熱ホスト機30を組立てる。これにより該加熱パネル32は該作業フレーム41内縁に進入し加熱作業面Ａを構成し、しかも作業パネル42は垂直に該作業フレーム41底部のもう一方の面端に結合し、機台50により、該作業パネル42は傾斜角度の形態を調節し、該作業パネル42、該作業フレーム41及び該加熱ホスト機30を支える。
図7、8に示すように、書類ホルダー10内に書類を収納し該作業パネル42上に置き、傾斜を調節する作業パネル42は、該書類ホルダー10の装丁部11を該作業フレーム41内縁の加熱パネル32上へと導引し密着させ、加熱を行う。該書類ホルダー10装丁部11内面の熱溶融粘着剤は熱を受け滲出し紙を粘着する作用により、迅速に書類の装丁を完成する。該作業フレーム41内加熱パネル32の加熱作業面Ａにより、一度の多数の書類ホルダー10を該作業パネル42上にセットし加熱することができるため、書類整理の粘着装丁作業効率を倍増させることができる。。
【０００７】
さらに図6、9、10に示すように本考案の具体的実施例では、加熱ホスト機30は作業台40上に組み立て、該加熱ホスト機30の機体31にはハンドル部33を設置し、作業者は該ハンドル部33を握ることにより、該加熱ホスト機30を便利に該作業台40の作業フレーム41上に組み立てることができ、及び該加熱ホスト機30を該作業フレーム41上から便利に取り出すことができる。こうして、該加熱ホスト機30は該作業台40を離脱可能となり、機動的に他の加熱用途に使用することができる。
【０００８】
しかも、本考案の具体的実施例では、図6、10、11に示すように、該作業台40上に組み立てる加熱ホスト機30の機体31片面端には加熱パネル32を具え、該加熱パネル32内部には制御部34により温度と電源制御を行う電熱部品35を埋設することができる。しかも少なくとも一個の固定台36により、該加熱パネル32を該機体31上に固定し、該機体31と該加熱パネル32間において組立て係合槽37を形成し、該組立て係合槽37と該作業フレーム41両側辺の細長い板状組立て部410により対応し、該加熱ホスト機30は該作業台40上において簡単に組立てが可能となる。また該制御部34上のスイッチ操作によるだけで、該作業フレーム41内の加熱パネル32は予熱のための発熱作動を行い、図8に示すように、該書類ホルダー10装丁部11に対して加熱を行う加熱作業面Ａを構成する。
【０００９】
また、本考案の具体的実施例では、図5、7、8に示すように、該加熱ホスト機30は該作業台40上に組み立て、これにより該加熱パネル32は該作業フレーム41内に進入し加熱作業面Ａを構成する。該作業台40の作業フレーム41上は該加熱パネル32に対応し、該作業フレーム両側辺上下に付着し可動するサポート板43を設置し、しかも該サポート板43上にはプル棒44及び二本の可動導入棒45を具え、該作業フレーム41上部に貫通する。こうして該書類ホルダー10装丁部11は該加熱パネル32の加熱作業面Ａ上に向かい、密着し、作業者は該書類ホルダー10の数及び厚さに応じて、該プル棒44を上方へと引く操作により、該サポート板43は該書類ホルダー10上を押し、迅速に該書類ホルダー10の装丁部11を平坦に調整し、該加熱パネル32の加熱作業面Ａと接触させ、該装丁部11は最も平均で、最も有効に書類を粘着装丁する加熱効果を達成する。
【００１０】
さらに、本考案の具体的実施例では図5、7、8に示すように、該作業パネル42を支える機台50は、該作業パネル42両側辺の一対の枠板51に対応し該作業パネル42両側辺の一端と可動設置する。しかも該枠板51上には相対的に弧形槽52を形成し、それぞれ固定ボタン53により該弧形槽52を貫通し、該作業パネル42両側辺の反対端上に結合する。該作業パネル42は該機台50により支えられるため、該枠板51上の可動設置点を中心とし傾斜揺動を行い、該固定ボタン53は該弧形槽52の異なる位置に固定し、該作業パネル42の揺動を限定することにより、該作業パネル42を調節し、書類ホルダー10の導引を適当な作業傾斜角度に設定する。
【００１１】
また、本考案の別種の具体的実施例では、図12に示すように、書類を置く作業パネル42の板面上には可動調節フレーム60を追加設置することができる。これにより該可動調節フレーム60側板61の幅を調節し、異なる規格の書類ホルダー10を該作業パネル42上にセットし書類の装丁が可能となる。
しかも、本考案のさらに別種の具体的実施例では、図13に示すように、該作業パネル42は書類を該加熱パネル32上へと導引し密着させ加熱を行うが、該加熱パネル32上には挿入部品台70を追加設置することができる。該挿入部品台70上には多数の異なる幅の書類挿入槽41を設置し、小型書類はちょうど良い大きさの挿入槽71を選択し挿入設置し加熱が可能で、こうして各種小型書類の粘着装丁を提供することができる。
【図面の簡単な説明】
【００１２】
【図１】書類ホルダー装丁部内面構造の指示図である。
【図２】書類ホルダー書類整理状態の指示図である。
【図３】公知の加熱装丁機実施例の指示図（一）である。
【図４】公知の加熱装丁機実施の指示図（二）である。
【図５】本考案構造の外観指示図（一）である。
【図６】本考案構造の外観指示図（二）である。
【図７】本考案実施例の平面指示図である。
【図８】本考案実施状態の立体外観指示図である。
【図９】本考案加熱ホスト機組立て実施の指示図である。
【図１０】本考案加熱ホスト機構造の分解指示図である。
【図１１】本考案組合せ断面図である。
【図１２】本考案の別種の実施例図である。
【図１３】本考案のさらに別種の実施例図である。
【符号の説明】
【００１３】
10 書類ホルダー
11  装丁部
12  熱溶融粘着面
20  熱装丁機20
21  コの字型槽
22  発熱板22
30  加熱ホスト機
31  機体
32  加熱パネル
A  加熱作業面
33  ハンドル部
34  制御部
35  電熱部品
36  固定台
37  組立て係合槽
40  作業台
41  作業フレーム
410  組立て部
42  作業パネル
43  サポート板
44 プル棒
45 可動導入棒
50 機台
51 枠板
52 弧形槽
53 固定ボタン
60 可動調節フレーム
61 側板
70 挿入部品台
71 挿入槽
【図１】
0003121754.tif 000003
【図２】
0003121754.tif 000004
【図３】
0003121754.tif 000005
【図４】
0003121754.tif 000006
【図５】
0003121754.tif 000007
【図６】
0003121754.tif 000008
【図７】
0003121754.tif 000009
【図８】
0003121754.tif 000010
【図９】
0003121754.tif 000011
【図１０】
0003121754.tif 000012
【図１１】
0003121754.tif 000013
【図１２】
0003121754.tif 000014
【図１３】
0003121754.tif 000015